(57)【要約】【課題】接触式のＩＣカードに記録されたデータの読取り等を行うカードリーダにおいて、ＩＣ接点ブロックを容易に取り外すことが可能なカードリーダを提供する。【解決手段】このカードリーダでは、ＩＣ接点ブロック９は、左右方向において、ガイド軸１８の一端側部分を保持する軸保持部６ｊと、ガイド軸１８の他端側部分を保持する軸保持部６ｋとの間に配置されている。ＩＣ接点ブロック９には、ＩＣ接点ブロック９と別体で形成されたガイド軸１８が挿通される挿通穴９ａ、９ｂが左右方向に貫通するように形成され、軸保持部６ｊには、ガイド軸１８の一端側部分が配置されるとともにガイド軸１８が左右方向へ通過可能な配置穴６ｎが左右方向に貫通するように形成されている。また、軸保持部６ｊ、６ｋから軸保持部６ｊ側へのガイド軸１８の抜けを防止する抜止め部材が本体フレーム６に着脱可能に取り付けられている。【選択図】図４
2019008713.tif 000002
【特許請求の範囲】
【請求項１】
カードに形成されるＩＣチップの外部接続端子に接触する複数のＩＣ接点バネと、複数の前記ＩＣ接点バネを保持するＩＣ接点ブロックと、前記カードが移動するカード移動路が形成される本体フレームと、前記ＩＣ接点バネが前記外部接続端子に接触可能な接触位置と前記ＩＣ接点バネが前記外部接続端子に接触しないように退避する退避位置との間で前記ＩＣ接点ブロックを移動させるためのガイド軸とを備え、
前記カード移動路を移動する前記カードの移動方向と前記カード移動路を移動する前記カードの厚さ方向とに直交する方向を左右方向とすると、
前記ガイド軸は、前記ＩＣ接点ブロックと別体で形成されるとともに、前記ガイド軸の軸方向と左右方向とが一致するように配置され、
前記本体フレームは、前記ガイド軸の一端側部分を保持する第１軸保持部と、前記ガイド軸の他端側部分を保持する第２軸保持部とを備え、
前記ＩＣ接点ブロックは、左右方向において、前記第１軸保持部と前記第２軸保持部との間に配置され、
前記ＩＣ接点ブロックには、前記ガイド軸が挿通される挿通穴が左右方向に貫通するように形成されるとともに、前記カードの移動方向における前記カードの一端が当接する当接部が形成され、
前記第１軸保持部には、前記ガイド軸の一端側部分が配置されるとともに前記ガイド軸が左右方向へ通過可能な配置穴が左右方向に貫通するように形成され、
前記配置穴が、前記ガイド軸とともに前記接触位置と前記退避位置との間で前記ＩＣ接点ブロックを移動させる第１カム溝となっており、かつ、前記第２軸保持部に、前記ガイド軸とともに前記接触位置と前記退避位置との間で前記ＩＣ接点ブロックを移動させる第２カム溝が形成されているか、あるいは、
前記挿通穴が、前記ガイド軸とともに前記接触位置と前記退避位置との間で前記ＩＣ接点ブロックを移動させるカム溝となっており、
前記配置穴が前記第１カム溝となっており、かつ、前記第２軸保持部に前記第２カム溝が形成されている場合には、前記第１軸保持部および前記第２軸保持部に対して、前記接触位置と前記退避位置との間で前記ＩＣ接点ブロックが前記ガイド軸と一緒に移動可能となっており、
前記挿通穴が前記カム溝となっている場合には、前記第１軸保持部、前記第２軸保持部および前記ガイド軸に対して、前記接触位置と前記退避位置との間で前記ＩＣ接点ブロックが移動可能となっており、
前記第１軸保持部および前記第２軸保持部から左右方向における前記第１軸保持部側への前記ガイド軸の抜けを防止する抜止め部材が、前記ガイド軸または前記本体フレームに着脱可能に取り付けられ、
前記当接部に前記カードの一端が当接すると、前記退避位置にある前記ＩＣ接点ブロックが前記接触位置に向かって移動を開始することを特徴とするカードリーダ。
【請求項２】
前記配置穴が前記第１カム溝となっており、かつ、前記第２軸保持部に前記第２カム溝が形成されていることを特徴とする請求項１記載のカードリーダ。
【請求項３】
前記第２軸保持部には、前記ガイド軸の他端側部分が配置されるとともに前記第２軸保持部の左右方向の一方の側面から左右方向の他方に向かって窪む配置凹部が形成され、
前記配置凹部は、前記第２カム溝となっており、
左右方向における前記第１軸保持部側で、前記抜止め部材が前記ガイド軸または前記本体フレームに着脱可能に取り付けられていることを特徴とする請求項２記載のカードリーダ。
【請求項４】
前記ガイド軸は、鋼鉄で形成され、
前記第１軸保持部および前記第２軸保持部は、樹脂で形成されていることを特徴とする請求項２または３記載のカードリーダ。
【請求項５】
２本の前記ガイド軸と、前記退避位置に向かって前記ＩＣ接点ブロックを付勢する引張りコイルバネとを備え、
前記引張りコイルバネの一端側は、２本の前記ガイド軸のうちの一方の前記ガイド軸に取り付けられ、
前記引張りコイルバネの他端側は、前記本体フレームに取り付けられていることを特徴とする請求項２から４のいずれかに記載のカードリーダ。
【請求項６】
前記抜止め部材は、前記本体フレームに着脱可能に取り付けられていることを特徴とする請求項１から５のいずれかに記載のカードリーダ。
【請求項７】
前記カードの厚さ方向の一方を第１方向とすると、
前記本体フレームは、前記カード移動路の第１方向側の面を構成する側面部を備え、
前記側面部には、前記ＩＣ接点ブロックの一部が配置される開口部が前記カードの厚さ方向で前記側面部を貫通するように形成され、
前記第１軸保持部および前記第２軸保持部は、前記側面部の第１方向側の面に形成され、
前記側面部には、第１方向側から前記開口部を塞ぐとともに、第１方向側から前記第１軸保持部、前記第２軸保持部および前記ＩＣ接点ブロックを覆うカバー部材が着脱可能に取り付けられ、
前記カバー部材の一部が前記抜止め部材となっていることを特徴とする請求項６記載のカードリーダ。
【請求項８】
前記カバー部材は、前記カード移動路から前記側面部の第１方向側への液体の浸入を防止する防水カバーであることを特徴とする請求項７記載のカードリーダ。
【発明の詳細な説明】
【技術分野】
【０００１】
本発明は、接触式のＩＣカードに記録されたデータの読取りや接触式のＩＣカードへのデータの記録を行うカードリーダに関する。
【背景技術】
【０００２】
従来、接触式のＩＣカードに記録されたデータの読取りや接触式のＩＣカードへのデータの記録を行うカードリーダが知られている（たとえば、特許文献１参照）。特許文献１に記載のカードリーダは、カード挿入口とカード通路とが形成されるカードリーダ本体を備えている。また、このカードリーダは、カードに形成されたＩＣチップの外部接続端子に接触する複数の接点バネと、複数の接点バネを保持するＩＣ接点ブロック（接点ホルダ）とを備えている。カードリーダ本体には、ガイド溝が形成されている。ＩＣ接点ブロックには、このガイド溝に挿入される突起が設けられている。また、ＩＣ接点ブロックには、フックが取り付けられている。
【０００３】
特許文献１に記載のカードリーダでは、ホルダ戻しバネによって所定の位置に付勢されているＩＣ接点ブロックのフックに、カード通路を通過するカードが当接すると、ＩＣ接点ブロックがガイド溝に沿って移動して、カードの外部接続端子に接点バネが所定の接触圧で接触する。外部接続端子に接点バネが所定の接触圧で接触すると、カードに記録されたデータの読取りやカードへのデータの記録が行われる。
【先行技術文献】
【特許文献】
【０００４】
【特許文献１】特開平１０−２７２２０号公報
【発明の概要】
【発明が解決しようとする課題】
【０００５】
特許文献１に記載されたカードリーダのようなＩＣカードリーダでは、ＩＣ接点ブロックのメンテナンスが必要になる場合がある。この場合には、ＩＣ接点ブロックを取り外してメンテナンスを行った方がＩＣ接点ブロックのメンテナンスが容易になる。また、ＩＣカードリーダでは、ＩＣ接点ブロックの交換が必要になる場合もある。したがって、ＩＣカードリーダでは、ＩＣ接点ブロックの取外しが容易になっていることが好ましい。
【０００６】
そこで、本発明の課題は、接触式のＩＣカードに記録されたデータの読取りや接触式のＩＣカードへのデータの記録を行うカードリーダにおいて、ＩＣ接点バネを保持するＩＣ接点ブロックを容易に取り外すことが可能なカードリーダを提供することにある。
【課題を解決するための手段】
【０００７】
上記の課題を解決するため、本発明のカードリーダは、カードに形成されるＩＣチップの外部接続端子に接触する複数のＩＣ接点バネと、複数のＩＣ接点バネを保持するＩＣ接点ブロックと、カードが移動するカード移動路が形成される本体フレームと、ＩＣ接点バネが外部接続端子に接触可能な接触位置とＩＣ接点バネが外部接続端子に接触しないように退避する退避位置との間でＩＣ接点ブロックを移動させるためのガイド軸とを備え、カード移動路を移動するカードの移動方向とカード移動路を移動するカードの厚さ方向とに直交する方向を左右方向とすると、ガイド軸は、ＩＣ接点ブロックと別体で形成されるとともに、ガイド軸の軸方向と左右方向とが一致するように配置され、本体フレームは、ガイド軸の一端側部分を保持する第１軸保持部と、ガイド軸の他端側部分を保持する第２軸保持部とを備え、ＩＣ接点ブロックは、左右方向において、第１軸保持部と第２軸保持部との間に配置され、ＩＣ接点ブロックには、ガイド軸が挿通される挿通穴が左右方向に貫通するように形成されるとともに、カードの移動方向におけるカードの一端が当接する当接部が形成され、第１軸保持部には、ガイド軸の一端側部分が配置されるとともにガイド軸が左右方向へ通過可能な配置穴が左右方向に貫通するように形成され、配置穴が、ガイド軸とともに接触位置と退避位置との間でＩＣ接点ブロックを移動させる第１カム溝となっており、かつ、第２軸保持部に、ガイド軸とともに接触位置と退避位置との間でＩＣ接点ブロックを移動させる第２カム溝が形成されているか、あるいは、挿通穴が、ガイド軸とともに接触位置と退避位置との間でＩＣ接点ブロックを移動させるカム溝となっており、配置穴が第１カム溝となっており、かつ、第２軸保持部に第２カム溝が形成されている場合には、第１軸保持部および第２軸保持部に対して、接触位置と退避位置との間でＩＣ接点ブロックがガイド軸と一緒に移動可能となっており、挿通穴がカム溝となっている場合には、第１軸保持部、第２軸保持部およびガイド軸に対して、接触位置と退避位置との間でＩＣ接点ブロックが移動可能となっており、第１軸保持部および第２軸保持部から左右方向における第１軸保持部側へのガイド軸の抜けを防止する抜止め部材が、ガイド軸または本体フレームに着脱可能に取り付けられ、当接部にカードの一端が当接すると、退避位置にあるＩＣ接点ブロックが接触位置に向かって移動を開始することを特徴とする。
【０００８】
本発明のカードリーダでは、本体フレームは、ガイド軸の一端側部分を保持する第１軸保持部と、ガイド軸の他端側部分を保持する第２軸保持部とを備えており、ＩＣ接点ブロックは、左右方向において、第１軸保持部と第２軸保持部との間に配置されている。また、本発明では、ＩＣ接点ブロックに、ＩＣ接点ブロックと別体で形成されたガイド軸が挿通される挿通穴が左右方向に貫通するように形成され、第１軸保持部に、ガイド軸の一端側部分が配置されるとともにガイド軸が左右方向へ通過可能な配置穴が左右方向に貫通するように形成されている。さらに、本発明では、第１軸保持部および第２軸保持部から左右方向における第１軸保持部側へのガイド軸の抜けを防止する抜止め部材が、ガイド軸または本体フレームに着脱可能に取り付けられている。
【０００９】
そのため、本発明では、ガイド軸または本体フレームに着脱可能に取り付けられた抜止め部材を取り外すことで、ＩＣ接点ブロックの挿通穴に挿通されるガイド軸を、少なくとも第１軸保持部側へ抜き取ることが可能になる。また、ガイド軸を抜き取ることで、第１軸保持部と第２軸保持部との間に配置されるＩＣ接点ブロックを取り外すことが可能になる。したがって、本発明では、ＩＣ接点ブロックを容易に取り外すことが可能になる。
【００１０】
本発明において、配置穴が第１カム溝となっており、かつ、第２軸保持部に第２カム溝が形成されていることが好ましい。このように構成すると、ＩＣ接点ブロックに形成される挿通穴を、たとえば、丸穴にすれば良いため、ＩＣ接点ブロックの挿通穴がカム溝になっている場合と比較して、形状が複雑になりやすいＩＣ接点ブロックの構成を簡素化することが可能になる。
【００１１】
本発明において、第２軸保持部には、ガイド軸の他端側部分が配置されるとともに第２軸保持部の左右方向の一方の側面から左右方向の他方に向かって窪む配置凹部が形成され、配置凹部は、第２カム溝となっており、左右方向における第１軸保持部側で、抜止め部材がガイド軸または本体フレームに着脱可能に取り付けられていることが好ましい。このように構成すると、配置凹部の底面を利用して、左右方向における第２軸保持部側へのガイド軸の抜けを防止することが可能になる。したがって、左右方向における第２軸保持部側へのガイド軸の抜けを防止する部材を別途設ける必要がなくなり、その結果、カードリーダの構成を簡素化することが可能になる。また、このように構成すると、第１軸保持部の配置穴およびＩＣ接点ブロックの挿通穴に挿通されたガイド軸の端面を配置凹部の底面に押し付けた状態で抜止め部材を取り付けることで、ＩＣ接点ブロックを取り付けることが可能になる。したがって、ＩＣ接点ブロックの取付作業が容易になる。
【００１２】
本発明において、ガイド軸は、鋼鉄で形成され、第１軸保持部および第２軸保持部は、樹脂で形成されていることが好ましい。このように構成すると、ガイド軸の耐摩耗性を高めることが可能になるとともに、第１カム溝および第２カム溝と、ガイド軸との摺動性を高めることが可能になる。また、このように構成すると、環境温度の変動等の影響によるガイド軸の熱収縮量が小さくなるため、挿通穴にガイド軸が挿通されたＩＣ接点ブロックに保持されるＩＣ接点バネと、カード移動路に配置されるカードの外部接続端子との相対位置が、環境温度の変動等に起因してずれるのを抑制することが可能になる。したがって、環境温度の変動等に起因してカードに対するデータの読取り品質や記録品質が低下するのを抑制することが可能になる。
【００１３】
本発明において、たとえば、カードリーダは、２本のガイド軸と、退避位置に向かってＩＣ接点ブロックを付勢する引張りコイルバネとを備え、引張りコイルバネの一端側は、２本のガイド軸のうちの一方のガイド軸に取り付けられ、引張りコイルバネの他端側は、本体フレームに取り付けられている。この場合には、ガイド軸を利用して、ＩＣ接点ブロックを退避位置に向かって付勢することが可能になる。
【００１４】
本発明において、たとえば、抜止め部材は、本体フレームに着脱可能に取り付けられている。
【００１５】
本発明において、カードの厚さ方向の一方を第１方向とすると、本体フレームは、カード移動路の第１方向側の面を構成する側面部を備え、側面部には、ＩＣ接点ブロックの一部が配置される開口部がカードの厚さ方向で側面部を貫通するように形成され、第１軸保持部および第２軸保持部は、側面部の第１方向側の面に形成され、側面部には、第１方向側から開口部を塞ぐとともに、第１方向側から第１軸保持部、第２軸保持部およびＩＣ接点ブロックを覆うカバー部材が着脱可能に取り付けられ、カバー部材の一部が抜止め部材となっていることが好ましい。このように構成すると、側面部の開口部を塞ぐとともに第１軸保持部、第２軸保持部およびＩＣ接点ブロックを覆うカバー部材の一部を利用して、第１軸保持部および第２軸保持部から左右方向における第１軸保持部側へのガイド軸の抜けを防止することが可能になる。したがって、カードリーダの構成を簡素化することが可能になる。
【００１６】
本発明において、カバー部材は、たとえば、カード移動路から側面部の第１方向側への液体の浸入を防止する防水カバーである。
【発明の効果】
【００１７】
以上のように、本発明では、接触式のＩＣカードに記録されたデータの読取りや接触式のＩＣカードへのデータの記録を行うカードリーダにおいて、ＩＣ接点バネを保持するＩＣ接点ブロックを容易に取り外すことが可能になる。
【図面の簡単な説明】
【００１８】
【図１】本発明の実施の形態にかかるカードリーダの斜視図である。
【図２】図１に示すカードリーダからケース本体を取り外した状態を別の方向から示す斜視図である。
【図３】図２のＥ部の、カバー部材を取り外した状態の斜視図である。
【図４】図２のＥ部の分解斜視図である。
【図５】図２のＦ−Ｆ断面の断面図である。
【発明を実施するための形態】
【００１９】
以下、図面を参照しながら、本発明の実施の形態を説明する。
【００２０】
（カードリーダの概略構成）
図１は、本発明の実施の形態にかかるカードリーダ１の斜視図である。図２は、図１に示すカードリーダ１からケース本体１２を取り外した状態を別の方向から示す斜視図である。図３は、図２のＥ部の、カバー部材１３を取り外した状態の斜視図である。図４は、図２のＥ部の分解斜視図である。
【００２１】
本形態のカードリーダ１は、カード２に記録されたデータの読取りやカード２へのデータの記録を行う装置である。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置等に搭載されて使用される。
【００２２】
カード２は、たとえば、厚さが０．７〜０．８ｍｍ程度の矩形状の塩化ビニール製のカードである。カード２には、ＩＣチップが内蔵されており、カード２の一方の面には、図１に示すように、ＩＣチップの外部接続端子２ａが形成されている。また、カード２の他方の面には、磁気データが記録される磁気ストライプが形成されている。
【００２３】
カードリーダ１は、カードリーダ本体３と、カードリーダ本体３を覆うケース体４とを備えている。カードリーダ本体３は、カード２が移動するカード移動路５（図５参照）が形成される本体フレーム６と、カード２に記録された磁気データの読取りやカード２への磁気データの記録を行う磁気ヘッドと、カード２の外部接続端子２ａに接触する複数のＩＣ接点バネ８（図４参照）と、複数のＩＣ接点バネ８を保持するＩＣ接点ブロック９とを備えている。ケース体４は、カード２の挿入口１０が形成される前面カバー１１と、ケース本体１２とから構成されている。なお、図３では、ＩＣ接点バネ８の図示を省略している。
【００２４】
本形態では、手動で操作されるカード２は、図１等に示すＸ方向に移動する。すなわち、Ｘ方向は、カード移動路５を移動するカード２の移動方向である。また、カード２は、Ｘ１方向に挿入され、Ｘ２方向に抜き取られる。また、Ｘ方向に直交する図１等のＺ方向は、カード移動路５を移動するカード２の厚さ方向であり、Ｘ方向とＺ方向とに直交する図１等のＹ方向は、カード移動路５を移動するカード２の幅方向（短手幅方向）である。
【００２５】
以下の説明では、Ｘ方向を前後方向、Ｙ方向を左右方向、Ｚ方向を上下方向とする。また、カードリーダ１へのカード２の挿入方向側であるＸ１方向側を「後ろ」側とし、カードリーダ１からのカード２の抜取り方向側であるＸ２方向側を「前」側とする。また、左右方向の一方側であるＹ１方向側を「右」側、左右方向の他方側であるＹ２方向側を「左」側、上下方向の一方側であるＺ１方向側を「上」側、上下方向の他方側であるＺ２方向側を「下」側とする。
【００２６】
本体フレーム６は、樹脂で形成されている。本体フレーム６は、カードリーダ１に挿入されたカード２（すなわち、挿入口１０から挿入されたカード２）の後端側部分が収容される袋状のカード収容部６ａと、カード収容部６ａの前端から鍔状に広がる隔壁部６ｂとを備えている。隔壁部６ｂは、上下方向および左右方向に広がる略長方形の枠状に形成されている。また、本体フレーム６は、磁気ヘッドが配置されるヘッド配置部と、挿入口１０から挿入されたカード２を案内するためのカード案内部とを備えている。ヘッド配置部およびカード案内部は、隔壁部６ｂの前面から前側に突出するように形成されている。ヘッド配置部とカード案内部とは、左右方向において間隔をあけた状態で形成されている。
【００２７】
カード収容部６ａの内部は、カード移動路５の一部となっている。カード収容部６ａは、カード移動路５の上側面を構成する側面部としての上側面部６ｃと、カード移動路５の下側面を構成する下側面部６ｄと、カード移動路５の右側面を構成する右側面部６ｅと、カード移動路５の左側面を構成する左側面部６ｆと、カード移動路５の後ろ側面を構成する後側面部６ｇとから構成されている。本形態の上方向（Ｚ１方向）は、カード２の厚さ方向の一方である第１方向となっている。
【００２８】
上側面部６ｃには、ＩＣ接点ブロック９の一部が配置される開口部６ｈが形成されている（図４参照）。開口部６ｈは、上側面部６ｃを上下方向で貫通しており、カード移動路５に通じている。上側面部６ｃには、上側から開口部６ｈを塞ぐとともに、上側からＩＣ接点ブロック９を覆うカバー部材１３が取り付けられている。下側面部６ｄ、右側面部６ｅ、左側面部６ｆおよび後側面部６ｇには、カード収容部６ａの外部からカード移動路５に通じる開口部は形成されていない。
【００２９】
前面カバー１１は、本体フレーム６の前面側に配置されており、ヘッド配置部およびカード案内部を覆っている。また、前面カバー１１は、カードリーダ１の前面を構成している。図１に示すように、前面カバー１１には、前面カバー１１の前面から後ろ側に向かって窪む指挿入部１１ａが形成されている。指挿入部１１ａは、ユーザの指が挿入可能となる大きさに形成されており、ユーザがカードリーダ１へカード２を挿入する際、および、ユーザがカードリーダ１からカード２を抜き取る際には、指挿入部１１ａにユーザの指が挿入される。
【００３０】
ケース本体１２は、前端が開口する略直方体の箱状に形成されている。ケース本体１２は、カード収容部６ａおよび隔壁部６ｂを覆っている。前面カバー１１とケース本体１２とは、前面カバー１１の後端とケース本体１２の前端とが当接した状態で互いに固定されている。ケース体４は、カードリーダ本体３の上下の両面、左右の両面および前後の両面を覆っている。
【００３１】
本形態では、カード収容部６ａの外側の領域であって、隔壁部６ｂと上側面部６ｃと下側面部６ｄと右側面部６ｅと左側面部６ｆと後側面部６ｇとカバー部材１３とケース本体１２とによって囲まれた領域は、水等の液体の浸入を許容しない防水領域となっている。一方、隔壁部６ｂよりも前側の領域、カバー部材１３の内側の領域およびカード移動路５は、水等の液体の浸入を許容する浸水許容領域となっている。カバー部材１３は、カード移動路５から上側面部６ｃの上側への液体の浸入を防止する防水カバーとしての機能を果たしている。なお、カバー部材１３は、カード移動路５から上側面部６ｃの上側への塵埃の侵入を防止する機能も果たしている。
【００３２】
（ＩＣ接点ブロックおよびＩＣ接点ブロックの周辺部の構成）
図５は、図２のＦ−Ｆ断面の断面図である。
【００３３】
ＩＣ接点ブロック９は、樹脂で形成されている。また、ＩＣ接点ブロック９は、扁平な略直方体のブロック状に形成されている。ＩＣ接点ブロック９は、上述のように複数のＩＣ接点バネ８を保持している。ＩＣ接点バネ８の上端側部分には、フレキシブルプリント基板１７が接続されている。フレキシブルプリント基板１７は、ＩＣ接点ブロック９の後ろ側へ引き回されている。ＩＣ接点ブロック９は、ＩＣ接点バネ８がカード移動路５に上側から臨むように配置されている。また、ＩＣ接点ブロック９は、ＩＣ接点バネ８がカード２の外部接続端子２ａに接触可能な接触位置と、ＩＣ接点バネ８が外部接続端子２ａに接触しないように退避する退避位置との間で移動可能となっている。
【００３４】
カードリーダ１は、接触位置と退避位置との間でＩＣ接点ブロック９を移動させるためのガイド軸１８と、退避位置に向かってＩＣ接点ブロック９を付勢する引張りコイルバネ１９とを備えている。本形態のカードリーダ１は、２本のガイド軸１８と、１個の引張りコイルバネ１９とを備えている。本体フレーム６は、ガイド軸１８の一端側部分を保持する第１軸保持部としての軸保持部６ｊと、ガイド軸１８の他端側部分を保持する第２軸保持部としての軸保持部６ｋとを備えている。
【００３５】
ガイド軸１８は、ＩＣ接点ブロック９と別体で形成されている。また、ガイド軸１８は、鋼鉄で形成されている。具体的には、ガイド軸１８は、ステンレス鋼で形成されている。ガイド軸１８は、細長い円柱状に形成されている。ガイド軸１８は、ガイド軸１８の軸方向と左右方向とが一致するように配置されている。２本のガイド軸１８は、前後方向において所定の間隔をあけた状態で配置されている。
【００３６】
ＩＣ接点ブロック９には、２本のガイド軸１８が挿通される挿通穴９ａ、９ｂが左右方向に貫通するように形成されている。挿通穴９ａは、ＩＣ接点ブロック９の前端側に形成される２個の突出部９ｃのそれぞれに形成されている。挿通穴９ｂは、ＩＣ接点ブロック９の後端側に形成される２個の突出部９ｄのそれぞれに形成されている。
【００３７】
２個の突出部９ｃは、前側に突出するように形成されるとともに、左右方向に所定間隔をあけた状態で形成されている。２個の突出部９ｄは、後ろ側に突出するように形成されるとともに、左右方向に所定間隔をあけた状態で形成されている。挿通穴９ａは、突出部９ｃを左右方向で貫通し、挿通穴９ｂは、突出部９ｄを左右方向で貫通している。挿通穴９ａ、９ｂは、丸穴となっている。挿通穴９ａ、９ｂの内径は、ガイド軸１８の外径とほぼ等しくなっている。
【００３８】
また、ＩＣ接点ブロック９には、後ろ側に向かってカード移動路５を移動するカード２の後端が当接する当接部９ｅが形成されている。当接部９ｅは、突出部９ｄの後端部に形成されている。また、当接部９ｅは、下側に向かって突出するように形成されている。図５に示すように、当接部９ｅは、カード移動路５の中に配置されている。
【００３９】
軸保持部６ｊ、６ｋは、上側面部６ｃの上側の面（上面）に形成されている。また、軸保持部６ｊ、６ｋは、上側面部６ｃの上面から上側に向かって立ち上がるように形成されている。上述のように、本体フレーム６は、樹脂で形成されており、軸保持部６ｊ、６ｋは、樹脂で形成されている。本形態では、２本のガイド軸１８のそれぞれの左端側部分を保持する２個の軸保持部６ｊと、２本のガイド軸１８の右端側部分を一緒に保持する１個の軸保持部６ｋとが上側面部６ｃに形成されている。
【００４０】
軸保持部６ｊと軸保持部６ｋとは、左右方向に所定の間隔をあけた状態で配置されている。具体的には、軸保持部６ｊは、開口部６ｈの左側の縁から上側に立ち上がるように形成され、軸保持部６ｋは、開口部６ｈの右側の縁から上側に立ち上がるように形成されている。また、２個の軸保持部６ｊは、前後方向に間隔をあけた状態で配置されている。ＩＣ接点ブロック９は、左右方向において、軸保持部６ｊと軸保持部６ｋとの間に配置されている。
【００４１】
軸保持部６ｊには、ガイド軸１８の左端側部分が配置される配置穴６ｎが形成されている。配置穴６ｎは、軸保持部６ｊを左右方向で貫通している。また、配置穴６ｎは、左右方向を軸方向として配置されるガイド軸１８が左右方向へ通過可能な大きさに形成されている。また、配置穴６ｎは、長穴状に形成されている。軸保持部６ｋには、ガイド軸１８の右端側部分が配置される配置凹部６ｐが形成されている。本形態では、２本のガイド軸１８のそれぞれの右端側部分が配置される２個の配置凹部６ｐが軸保持部６ｋに形成されている。配置凹部６ｐは、軸保持部６ｋの左側面から右側に向かって窪むように形成されており、配置凹部６ｐは、左右方向で軸保持部６ｋを貫通していない。
【００４２】
本形態の配置穴６ｎは、ガイド軸１８とともに接触位置と退避位置との間でＩＣ接点ブロック９を移動させる第１カム溝となっている。また、配置凹部６ｐは、ガイド軸１８とともに接触位置と退避位置との間でＩＣ接点ブロック９を移動させる第２カム溝となっている。すなわち、軸保持部６ｋには、ガイド軸１８とともに接触位置と退避位置との間でＩＣ接点ブロック９を移動させる第２カム溝が形成されている。
【００４３】
そのため、配置穴６ｎに左端側部分が配置されるとともに配置凹部６ｐに右端側部分が配置されるガイド軸１８が配置穴６ｎおよび配置凹部６ｐに沿って移動すると、接触位置と退避位置との間でＩＣ接点ブロック９が移動する。具体的には、ＩＣ接点ブロック９が後ろ下側に配置される接触位置と、ＩＣ接点ブロック９が前上側に配置される退避位置との間でＩＣ接点ブロック９が移動する。また、軸保持部６ｊ、６ｋに対して、接触位置と退避位置との間でＩＣ接点ブロック９がガイド軸１８と一緒に移動する。
【００４４】
上述のように、ＩＣ接点ブロック９は、引張りコイルバネ１９によって退避位置に向かって付勢されている。すなわち、ＩＣ接点ブロック９は、引張りコイルバネ１９によって前上側に向かって付勢されている。図５に示すように、ガイド軸１８は、配置穴６ｎの上面６ｑおよび配置凹部６ｐの上面６ｒに接触しており、上面６ｑ、６ｒは、ガイド軸１８を案内するカム面となっている。上面６ｑと上面６ｒとは、同形状に形成されている。また、上面６ｑと上面６ｒとは、前後方向および上下方向において同じ位置に配置されている。また、上面６ｑ、６ｒは、接触位置と退避位置との間でＩＣ接点ブロック９が移動するように所定形状に形成されている。
【００４５】
配置穴６ｎには、ガイド軸１８の下側への抜けを防止する下面６ｓが形成されている。配置穴６ｎの上面６ｑと配置穴６ｎの下面６ｓとは、図５に示すように、左右方向でずれた位置に配置されている。一方、配置凹部６ｐには、下面が形成されておらず、配置凹部６ｐの下端は、カード移動路５に通じている。
【００４６】
本形態の本体フレーム６は、上側面部６ｃを有する上フレームと下側面部６ｄを有する下フレームとの、上下方向で２分割される２個のフレームによって構成されている。また、配置穴６ｎの上面６ｑと配置穴６ｎの下面６ｓとが左右方向でずれた位置に配置され、かつ、配置凹部６ｐに下面が形成されていないため、上下方向に２分割される金型を使って、上フレームを形成することが可能になっている。なお、上面６ｑと下面６ｓとは、左右方向において同じ位置に配置されていても良いし、配置凹部６ｐに下面が形成されていても良い。
【００４７】
引張りコイルバネ１９の一端側は、２本のガイド軸１８のうちの一方のガイド軸１８に取り付けられ、引張りコイルバネ１９の他端側は、本体フレーム６に取り付けられている。具体的には、引張りコイルバネ１９の後端側が、前側に配置されるガイド軸１８に取り付けられ、引張りコイルバネ１９の前端側が、上側面部６ｃの上面に形成されるバネ係合突起６ｔに取り付けられている。また、引張りコイルバネ１９の後端側は、左右方向における２個の突出部９ｃの間でガイド軸１８に取り付けられている。
【００４８】
本形態では、後ろ側に向かってカード移動路５を移動するカード２の後端（すなわち、カードリーダ１の内部に挿入されるカード２の後端）が当接部９ｅに当接すると、退避位置にあるＩＣ接点ブロック９が接触位置に向かって移動を開始する。また、カード２がさらに挿入されると、ＩＣ接点ブロック９が接触位置に到達する。ＩＣ接点ブロック９が接触位置に到達すると、カード２の外部接続端子２ａにＩＣ接点バネ８が所定の接触圧で接触して、カード２に記録されたデータの読取りやカード２へのデータの記録が行われる。また、カードリーダ１に挿入されたカード２が引き抜かれると、接触位置にあるＩＣ接点ブロック９が、引張りコイルバネ１９の付勢力によって退避位置へ移動する。
【００４９】
カバー部材１３は、下面が開口する略直方体の箱状に形成されている。また、カバー部材１３は、上下方向の厚さが薄い扁平な箱状に形成されている。上述のように、カバー部材１３は、開口部６ｈを上側から塞いでいる。また、カバー部材１３は、前後の両側、左右の両側および上側からＩＣ接点ブロック９を覆っている。さらに、カバー部材１３は、軸保持部６ｊ、６ｋ、バネ係合突起６ｔおよび引張りコイルバネ１９を覆っている。具体的には、カバー部材１３は、前後の両側、左右の両側および上側から軸保持部６ｊ、６ｋ、バネ係合突起６ｔおよび引張りコイルバネ１９を覆っている。なお、カバー部材１３の後端部では、カバー部材１３の後ろ側へフレキシブルプリント基板１７が引き出されている。フレキシブルプリント基板１７の引出し部には、カバー部材１３の外側への液体の浸入を防止するシーリング処理が施されている。
【００５０】
カバー部材１３は、本体フレーム６に着脱可能に取り付けられている。具体的には、カバー部材１３は、複数のネジ２０（図２参照）によって、上側面部６ｃに着脱可能に取り付けられている。カバー部材１３には、図５に示すように、軸保持部６ｊ、６ｋから左右方向における軸保持部６ｊ側（すなわち、左側）へのガイド軸１８の抜けを防止する抜止め部１３ａが形成されている。
【００５１】
抜止め部１３ａは、平板状に形成されており、抜止め部１３ａの厚さ方向と左右方向とが一致するように配置されている。また、抜止め部１３ａは、カバー部材１３の上面部から下側に向かって突出するように形成されており、カバー部材１３の内部に配置されている。すなわち、抜止め部１３ａは、図５に示すように、カバー部材１３の左側面部よりも右側に配置されている。また、カバー部材１３には、２本のガイド軸１８のそれぞれの抜けを防止する２個の抜止め部１３ａが形成されている。また、抜止め部１３ａは、ガイド軸１８の左側に配置されている。
【００５２】
このように、本形態では、軸保持部６ｊ、６ｋから左側へのガイド軸１８の抜けを防止する抜止め部１３ａが、軸保持部６ｊ側で、本体フレーム６に着脱可能に取り付けられている。また、カバー部材１３の一部が抜止め部１３ａとなっている。本形態の抜止め部１３ａは、軸保持部６ｊ、６ｋから左側へのガイド軸１８の抜けを防止する抜止め部材である。
【００５３】
上述のように、ＩＣ接点ブロック９は、左右方向において、軸保持部６ｊと軸保持部６ｋとの間に配置されている。また、ＩＣ接点ブロック９に、ＩＣ接点ブロック９と別体で形成されたガイド軸１８が挿通される挿通穴９ａ、９ｂが左右方向に貫通するように形成され、軸保持部６ｊに、ガイド軸１８の左端側部分が配置されるとともにガイド軸１８が左右方向へ通過可能な配置穴６ｎが左右方向に貫通するように形成されている。さらに、軸保持部６ｊ、６ｋから左側へのガイド軸１８の抜けを防止する抜止め部１３ａがカバー部材１３に形成されており、カバー部材１３は、ネジ２０によって上側面部６ｃに着脱可能に取り付けられている。
【００５４】
そのため、本形態では、上側面部６ｃからカバー部材１３を取り外すことで、ＩＣ接点ブロック９の挿通穴９ａ、９ｂに挿通されるガイド軸１８を左側へ抜き取ることが可能になっている。また、ガイド軸１８を抜き取ることで、左右方向において軸保持部６ｊと軸保持部６ｋとの間に配置されるＩＣ接点ブロック９を取り外すことが可能になっている。なお、軸保持部６ｊと左側面部６ｆとの間には、挿通穴９ａ、９ｂに挿通されたガイド軸１８を左側へ抜き取ることができる空間が形成されている。
【００５５】
（本形態の主な効果）
以上説明したように、本形態では、上側面部６ｃからカバー部材１３を取り外すことで、ＩＣ接点ブロック９の挿通穴９ａ、９ｂに挿通されるガイド軸１８を左側へ抜き取ることが可能になっており、ガイド軸１８を抜き取ることで、左右方向において軸保持部６ｊと軸保持部６ｋとの間に配置されるＩＣ接点ブロック９を取り外すことが可能になっている。そのため、本形態では、ＩＣ接点ブロックを容易に取り外すことが可能になる。
【００５６】
本形態では、左右方向で軸保持部６ｋを貫通していない配置凹部６ｐが、接触位置と退避位置との間でＩＣ接点ブロック９を移動させるための第２カム溝となっている。そのため、本形態では、配置凹部６ｐの底面（右側の側面）を利用して、軸保持部６ｊ、６ｋから右側へのガイド軸１８の抜けを防止することが可能になる。したがって、本形態では、軸保持部６ｊ、６ｋから右側へのガイド軸１８の抜けを防止するための部材を別途設ける必要がない。その結果、本形態では、カードリーダ１の構成を簡素化することが可能になる。また、本形態では、軸保持部６ｊの配置穴６ｎおよびＩＣ接点ブロック９の挿通穴９ａ、９ｂに挿通されたガイド軸１８の右端を配置凹部６ｐの底面に押し付けた状態でカバー部材１３を取り付けることで、ＩＣ接点ブロック９の取り付けを完了させることが可能になる。したがって、本形態では、ＩＣ接点ブロック９の取付作業が容易になる。
【００５７】
本形態では、ガイド軸１８は、鋼鉄で形成され、軸保持部６ｊ、６ｋは、樹脂で形成されている。そのため、本形態では、ガイド軸１８の耐摩耗性を高めることが可能になるとともに、カム面である配置穴６ｎの上面６ｑおよび配置凹部６ｐの上面６ｒと、ガイド軸１８との摺動性を高めることが可能になる。また、本形態では、環境温度の変動等の影響によるガイド軸１８の熱収縮量が小さくなるため、挿通穴９ａ、９ｂにガイド軸１８が挿通されたＩＣ接点ブロック９に保持されるＩＣ接点バネ８と、カード移動路５に配置されるカード２の外部接続端子２ａとの相対位置が、環境温度の変動等に起因してずれるのを抑制することが可能になる。したがって、本形態では、環境温度の変動等に起因してカード２に対するデータの読取り品質や記録品質が低下するのを抑制することが可能になる。
【００５８】
本形態では、カード移動路５から上側面部６ｃの上側への液体の浸入を防止する防水カバーとしての機能を果たすカバー部材１３に、抜止め部１３ａが形成されている。そのため、本形態では、防水カバーとしての機能を果たすカバー部材１３の一部を利用して、軸保持部６ｊ、６ｋから左側へのガイド軸１８の抜けを防止することが可能になる。したがって、本形態では、防水カバーであるカバー部材１３に加えて、軸保持部６ｊ、６ｋから左側へのガイド軸１８の抜けを防止する抜止め部材が別途設けられている場合と比較して、カードリーダ１の構成を簡素化することが可能になる。
【００５９】
本形態では、引張りコイルバネ１９の後端側は、２本のガイド軸１８のうちの一方のガイド軸１８に取り付けられている。そのため、本形態では、ガイド軸１８を利用して、ＩＣ接点ブロック９を退避位置に向かって付勢することが可能になる。したがって、本形態では、カードリーダ１の構成を簡素化することが可能になる。
【００６０】
（他の実施の形態）
上述した形態は、本発明の好適な形態の一例ではあるが、これに限定されるものではなく本発明の要旨を変更しない範囲において種々変形実施が可能である。
【００６１】
上述した形態において、カバー部材１３の左側面を構成する左側面部によって、軸保持部６ｊ、６ｋから左側へのガイド軸１８の抜けが防止されても良い。この場合には、カバー部材１３の左側面部が抜止め部材となる。また、上述した形態において、カバー部材１３以外の、本体フレーム６に着脱可能に取り付けられる抜止め部材によって、軸保持部６ｊ、６ｋから左側へのガイド軸１８の抜けが防止されても良いし、ガイド軸１８に着脱可能に取り付けられるＥ型止め輪等の抜止め部材によって、軸保持部６ｊ、６ｋから左側へのガイド軸１８の抜けが防止されても良い。この場合であって、水等の液体を使用しない環境でカードリーダ１が使用される場合には、カードリーダ１は、カバー部材１３を備えていなくても良い。
【００６２】
上述した形態において、配置凹部６ｐに代えて、ガイド軸１８の右端側部分が配置されるとともに左右方向で軸保持部６ｋを貫通する配置穴が軸保持部６ｋに形成されていても良い。この場合には、たとえば、この配置穴は、配置穴６ｎと同様に形成されており、ガイド軸１８が左右方向へ通過可能な大きさに形成されている。また、この配置穴は、第２カム溝となっている。
【００６３】
軸保持部６ｋに形成される配置穴が配置穴６ｎと同様に形成されている場合には、たとえば、軸保持部６ｊ、６ｋから右側へのガイド軸１８の抜けを防止するための抜止め部がカバー部材１３に形成されており、この抜止め部は、ガイド軸１８の右側に配置されている。あるいは、カバー部材１３の右側面部が、軸保持部６ｊ、６ｋから右側へのガイド軸１８の抜けを防止する抜止め部となっている。
【００６４】
また、カバー部材１３以外の、本体フレーム６に着脱可能に取り付けられる部材によって、軸保持部６ｊ、６ｋから右側へのガイド軸１８の抜けが防止されても良いし、ガイド軸１８に着脱可能に取り付けられるＥ型止め輪等によって、軸保持部６ｊ、６ｋから右側へのガイド軸１８の抜けが防止されても良い。この場合であって、水等の液体を使用しない環境でカードリーダ１が使用される場合には、カードリーダ１は、カバー部材１３を備えていなくても良い。
【００６５】
また、上述した形態において、配置凹部６ｐに代えて、ガイド軸１８の右端側部分が配置されるとともに左右方向で軸保持部６ｋを貫通する配置穴が軸保持部６ｋに形成されている場合には、この配置穴は、ガイド軸１８が左右方向へ通過できない大きさに形成されていても良い。この場合には、たとえば、ガイド軸１８の右端側に外径の小さな小径部が形成されており、この小径部がこの配置穴に配置されている。また、ガイド軸１８の小径部の左端に形成される段差面と軸保持部６ｋの左側面とによって、軸保持部６ｊ、６ｋから右側へのガイド軸１８の抜けが防止される。
【００６６】
上述した形態において、ＩＣ接点ブロック９に形成される挿通穴９ａ、９ｂが、ガイド軸１８とともに接触位置と退避位置との間でＩＣ接点ブロック９を移動させるカム溝となっていても良い。この場合には、配置穴６ｎは、丸穴となっており、配置凹部６ｐは、丸い凹部となっている。また、配置穴６ｎの内径および配置凹部６ｐの内径は、ガイド軸１８の外径とほぼ等しくなっている。この場合には、軸保持部６ｊ、６ｋおよびガイド軸１８に対して、ＩＣ接点ブロック９が接触位置と退避位置との間で移動する。
【００６７】
ただし、上述した形態のように配置穴６ｎが第１カム溝となっており、かつ、配置凹部６ｐが第２カム溝となっている場合には、ＩＣ接点ブロック９に形成される挿通穴９ａ、９ｂを丸穴にすれば良いため、ＩＣ接点ブロック９の挿通穴９ａ、９ｂがカム溝になっている場合と比較して、形状が複雑になりやすいＩＣ接点ブロック９の構成を簡素化することが可能になる。
【００６８】
上述した形態において、カードリーダ１は、３本以上のガイド軸１８を備えていても良い。また、上述した形態において、カードリーダ本体３は、磁気ヘッドを備えていなくても良い。さらに、上述した形態では、カードリーダ１は、手動式のカードリーダであるが、カードリーダ１は、カード２を自動で搬送するカード搬送機構を有するカード搬送式のカードリーダであっても良い。また、上述した形態において、カード２は、厚さが０．１８〜０．３６ｍｍ程度のＰＥＴ（ポリエチレンテレフタレート）カードや、所定の厚さの紙カード等であっても良い。
【符号の説明】
【００６９】
１  カードリーダ
２  カード
２ａ  外部接続端子
５  カード移動路
６  本体フレーム
６ｃ  上側面部（側面部）
６ｈ  開口部
６ｊ  軸保持部（第１軸保持部）
６ｋ  軸保持部（第２軸保持部）
６ｎ  配置穴（第１カム溝）
６ｐ  配置凹部（第２カム溝）
８  ＩＣ接点バネ
９  ＩＣ接点ブロック
９ａ、９ｂ  挿通穴
９ｅ  当接部
１３  カバー部材
１３ａ  抜止め部（抜止め部材）
１８  ガイド軸
１９  引張りコイルバネ
Ｘ  カードの移動方向
Ｙ  左右方向
Ｚ  カードの厚さ方向
Ｚ１  第１方向
【図１】
2019008713.tif 000003
【図２】
2019008713.tif 000004
【図３】
2019008713.tif 000005
【図４】
2019008713.tif 000006
【図５】
2019008713.tif 000007